(57)【要約】　　　（修正有）【課題】スリッパを製造する場合に、支持部材と底部材とを重ね合わせた際に、これらが位置ズレしないようにし、熟練を要さなくてもスリッパの製造が容易に行えるようにすること。【解決手段】縁部に沿って少なくとも上面側にリブ状の突出部６が一体に形成された軟質樹脂の成型品で構成された底部材４と、板状に形成された少なくとも不織布で構成され、且つ甲被部材３を使用態様状態に取り付けた支持部材５と、芯材の上面に緩衝材を配して化粧布で少なくとも上面と底面の一部を包み込んで一体に形成し、且つ踵部の裏面側に係止部材が取り付けられた中敷部材２とからなり、底部材４の突出部６の内側に前記支持部材５を嵌め込んで一体的に結合させ、中敷部材２を支持部材５の上面に係止部材を介して着脱自在に配設したことにより、支持部材５と底部材４とを位置ズレしないようにし、熟練を要さなくてもスリッパの製造が容易に行えるようにできる。【選択図】　図２
2004016339.tif 000002
【特許請求の範囲】
【請求項１】
縁部に沿って少なくとも上面側にリブ状の突出部が一体に形成された軟質樹脂の成型品で構成された底部材と、
板状に形成された少なくとも不織布で構成され、且つ甲被部材を使用態様状態に取り付けて形状維持させた支持部材と、
芯材の上面に緩衝材を配して化粧布で少なくとも上面と底面の一部を包み込んで一体に形成し、且つ踵部の裏面側に係止部材が取り付けられた中敷部材とからなり、
前記底部材の突出部の内側に前記支持部材を嵌め込んで一体的に結合させ、
前記中敷部材を支持部材の上面に係止部材を介して着脱自在に配設したこと
を特徴とするスリッパ。
【請求項２】
前記底部材は、下面側にも縁部に沿ってリブ状の突出部が一体に形成され、
該突出部の内側に、該突出部の高さよりも厚みのある底補助部材を嵌め込んで一体的に結合させたこと
を特徴とする請求項１に記載のスリッパ。
【請求項３】
前記底部材の上面側と下面側とに形成された突出部は、
化粧布で包み込んだこと
を特徴とする請求項２に記載のスリッパ。
【請求項４】
前記中敷部材に取り付けられる係止部材を省略すると共に、前記支持部材を厚紙素材で形成し、
前記中敷部材を前記支持部材に一体的に結合させたこと
を特徴とする請求項１乃至３のいずれかに記載のスリッパ。
【請求項５】
少なくとも底部材と、支持部材と、甲被部材と、中敷部材とからなるスリッパの製造方法であって、
前記底部材は、成型手段により軟質樹脂を用いて、縁部に沿って少なくとも上面側にリブ状の突出部が一体に形成され、
前記支持部材は、板状に形成された少なくとも不織布を用い、整形手段により前記甲被部材を使用態様状態に形状維持させるべく接着して取り付け、
前記中敷部材は、芯材の上面に緩衝材を配して化粧布で少なくとも上面と底面の一部を包み込んで且つ踵部の裏面側に係止部材を縫合または接着手段により一体に形成し、
前記底部材の突出部の内側に前記支持部材を嵌め込んで縫合または接着手段により一体的に結合させ、
前記中敷部材を支持部材の上面に係止部材を介して着脱自在になるようにしたこと
を特徴とするスリッパの製造方法。
【請求項６】
前記底部材は、下面側にも縁部に沿ってリブ状の突出部を一体に形成し、
該突出部の内側に、該突出部の高さよりも厚みのある底補助部材を嵌め込んで前記上面側の支持部材と共に一体的に結合させること
を特徴とする請求項５に記載のスリッパ。
【請求項７】
前記底部材の上面側と下面側とに形成された突出部は、
化粧布で包み込んで縫合または接着手段により取り付けること
を特徴とする請求項５に記載のスリッパの製造方法。
【請求項８】
前記中敷部材に対する係止部材の取り付けを省略すると共に、前記支持部材を厚紙素材で形成し、
前記中敷部材は前記支持部材に対して接着手段により取り付けること
を特徴とする請求項５乃至７のいずれかに記載のスリッパの製造方法。
【発明の詳細な説明】
【０００１】
【発明の属する技術分野】
本発明は、少なくとも甲被部材を取り付けた支持部材と底部材とからなるスリッパと、その支持部材と底部材とを容易に結合できるスリッパの製造方法に関するものである。
【０００２】
【従来の技術】
従来、スリッパは、一般的に、簡易な構成のものと、履き易さを考慮した構成部品の多いものとがあり、特に、構成部品の多いスリッパは、足を乗せて足裏に直接当接する中敷部材と、足先及び甲部を包み込む形状に形成された甲被部材と、前記スリッパの下側に位置して、床面と直接当接する底部材と、これら中敷部材、甲被部材及び底部材を位置決めして結合させる支持部材等によって構成されている。
【０００３】
前記中敷部材と、前記甲被部材と、前記支持部材とには、外観上の美しさ、清潔さまたはデザイン性等が求められることから、これらの周囲または周縁部には、化粧布等を取り付けて使用することが多いものである。
【０００４】
このような前記スリッパを製造する場合には、一般的に、厚紙素材等からなる支持部材の周縁部に化粧布を巻き付けて接着し、その支持部材に使用態様状態の形状にした甲被部材を接着して取り付け、該甲被部材を取り付けた支持部材及び該支持部材と略同一形状に形成した底部材を重ね合わせた状態にし、前記支持部材と前記底部材とが位置ずれしないように保持しつつ、前記支持部材と前記底部材とを縫合した後、前記支持部材に中敷部材を接着させて、前記スリッパの製造を行っていた。
【０００５】
このように、支持部材と底部材とを縫合して結合させることにより、スリッパの底部に強度をもたせることができると共に、甲被部材の形状を維持し、型崩れを生じさせないようにすることができるのである。
【０００６】
【発明が解決しようとする課題】
しかしながら、前記支持部材はスリッパの芯材となるものであり、床面に直接当接する前記底部材と併せて、それぞれ所定の強度・剛性が要求されるものである。そのため、これらを縫合するときに使用される工業用ミシンは力強いものであって相当な振動が発生するものであり、スリッパ形状としての曲線を有している前記支持部材と前記底部材とを重ね曲線に沿って縫着しようとした時にズレが生じやすく、前記支持部材と前記底部材とを位置ズレしない状態で縫合するということは困難な作業であり、技術的に熟練を要するものである。
【０００７】
従って、従来のスリッパの製造方法においては、支持部材と底部材とを重ね合わせた際に、これらが位置ズレしないようにし、熟練を要さなくてもスリッパの製造が容易に行えるようにすることに解決しなければならない課題を有する。
【０００８】
【課題を解決するための手段】
上記した従来例の課題を解決する具体的手段として本発明に係る第１の発明として、縁部に沿って少なくとも上面側にリブ状の突出部が一体に形成された軟質樹脂の成型品で構成された底部材と、板状に形成された少なくとも不織布で構成され、且つ甲被部材を使用態様状態に取り付けて形状維持させた支持部材と、芯材の上面に緩衝材を配して化粧布で少なくとも上面と底面の一部を包み込んで一体に形成し、且つ踵部の裏面側に係止部材が取り付けられた中敷部材とからなり、前記底部材の突出部の内側に前記支持部材を嵌め込んで一体的に結合させ、前記中敷部材を支持部材の上面に係止部材を介して着脱自在に配設したことを特徴とするスリッパを提供するものである。
【０００９】
この第１の発明において、前記底部材は、下面側にも縁部に沿ってリブ状の突出部が一体に形成され、該突出部の内側に、該突出部の高さよりも厚みのある底補助部材を嵌め込んで一体的に結合させたこと；前記底部材の上面側と下面側とに形成された突出部は、化粧布で包み込んだこと；前記中敷部材に取り付けられる係止部材を省略すると共に、前記支持部材を厚紙素材で形成し、前記中敷部材を前記支持部材に一体的に結合させたこと；を付加的な要件として含むものである。
【００１０】
また、第２の発明として、少なくとも底部材と、支持部材と、甲被部材と、中敷部材とからなるスリッパの製造方法であって、前記底部材は、成型手段により軟質樹脂を用いて、縁部に沿って少なくとも上面側にリブ状の突出部が一体に形成され、前記支持部材は、板状に形成された少なくとも不織布を用い、整形手段により前記甲被部材を使用態様状態に形状維持させるべく接着して取り付け、前記中敷部材は、芯材の上面に緩衝材を配して化粧布で少なくとも上面と底面の一部を包み込んで且つ踵部の裏面側に係止部材を縫合または接着手段により一体に形成し、前記底部材の突出部の内側に前記支持部材を嵌め込んで縫合または接着手段により一体的に結合させ、前記中敷部材を支持部材の上面に係止部材を介して着脱自在になるようにしたことを特徴とするスリッパの製造方法を提供するものである。
【００１１】
この第２の発明において、前記底部材は、下面側にも縁部に沿ってリブ状の突出部を一体に形成し、該突出部の内側に、該突出部の高さよりも厚みのある底補助部材を嵌め込んで前記上面側の支持部材と共に一体的に結合させること；前記底部材の上面側と下面側とに形成された突出部は、化粧布で包み込んで縫合または接着手段により取り付けること；前記中敷部材に対する係止部材の取り付けを省略すると共に、前記支持部材を厚紙素材で形成し、前記中敷部材は前記支持部材に対して接着手段により取り付けること；を付加的な要件として含むものである。
【００１２】
本発明に係るスリッパ及びその製造方法は、底部材の縁部の少なくとも上面側にリブ状の突出部を形成させ、該突出部の内側に支持部材を嵌め込むことによって前記底部材と前記支持部材とが動かないように且つ位置ズレしないようにセットできるため、これらを容易に結合させることができるようになり、熟練を要さなくてもスリッパの製造が容易になるのである。更に、前記支持部材に少なくとも不織布を用い、中敷部材の裏面側に係止部材を取り付けて、該係止部材を介して前記中敷部材を前記支持部材の上面に着脱自在に配設できるようにさせたことにより、前記中敷部材の配設を容易にして、前記スリッパの製造をより一層容易にできると共に、該スリッパの使用によって前記中敷部材に汚れを生じたときに、該中敷部材の洗浄または交換が容易に行えるのである。
【００１３】
【発明の実施の形態】
次に、本発明を具体的な実施の形態に基づいて詳しく説明する。
本発明に係る第１の実施の形態として、一対のスリッパ１のうちの一つを略示的に示した斜視図を図１に示す。前記スリッパ１は、外見上では足を乗せて足裏に直接当接する中敷部材２と、足先及び甲部を包み込む形状に湾曲形成させた甲被部材３と、前記スリッパ１の下側に位置し、床面と直接当接する底部材４とからなる。
【００１４】
このようなスリッパ１において、図２に、スリッパ１の構成部材を分解して示してある。その構成部材は、中敷部材２と、甲被部材３と、該甲被部材３が取り付けられた支持部材５と、底部材４とからなるものである。
【００１５】
前記底部材４は、例えば、ＥＶＡ樹脂、ＡＢＳ樹脂等の軟質樹脂からなり、該軟質樹脂を適宜の成型手段を用いてスリッパの輪郭形状に成型した成型品であり、底部材４の縁部に沿って少なくとも上面側にリブ状の突出部６を一体に形成したものである。
【００１６】
前記支持部材５は、板状に形成された少なくとも不織布を用いたものであり、好ましくは、防水または耐水性の厚紙素材等の上面にクッション用のゴムシート材等を貼着し、その上に前記不織布を重ねて配設し、縫着手段等によって一体的に結合させた三層構造のものである。
【００１７】
このように、前記防水または耐水性の厚紙素材等からなる支持部材５を用いることにより、前記スリッパ１の底部に強度をもたせることができると共に、スリッパ１を洗った時に、前記支持部材５が濡れても、該支持部材５に型崩れ等が生じないようにすることができるのである。
【００１８】
そして、前記支持部材５に前記甲被部材３を取り付けるものであるが、この場合には、この種の業界で吊り込み機と称されている甲被部成型器を用いて前記甲被部材３をアーチ状の使用態様状態、即ち足の甲を包み込む形状に成型維持させた状態で、該甲被部材３の端部を前記支持部材５の裏面側に折り返し、その折り返した端部を支持部材５の裏面側に接着して取り付ける。この甲被部材３は、その外側面に化粧布等を貼着または縫合によって結合させても良い。
【００１９】
このように、甲被部材３が取り付けられた前記支持部材５を前記底部材４の突出部６の内側に嵌め込み、前記支持部材５と前記底部材４とを接着手段または縫合線７に沿って縫合して、前記支持部材５と前記底部材４とを一体的に結合させる。
【００２０】
このとき、前記底部材４における突出部６の大きさ形状は、前記支持部材５を内側に嵌め込んだ時に、大きなガタツキが生じない程度にフィットする大きさ形状に形成する。つまり、前記支持部材５の外形寸法と前記突出部６の内径寸法とが略一致する大きさ形状に形成するのであり、突出部６に支持部材５を嵌め込みさえすれば、前記底部材４と前記支持部材５とが動いたりずれたりしないように位置決めして仮止めでき、その状態を維持して正確に縫合結合させることができるのであり、熟練を要さなくても良質のスリッパ１を容易に製造することができるのである。
【００２１】
前記中敷部材２は、厚紙素材またはポリウレタンシート等からなる芯材８の上面に、スポンジ等からなる緩衝材９を配し、これら芯材８と緩衝材９とを上面から包み込むように化粧布１０を配設し、該化粧布１０の端縁部は芯材８の裏面側に巻き込んだ状態にして貼着し、これらを縁部に沿う縫合線１１で縫合して結合させたものである。
【００２２】
この中敷部材２の裏面側を図３に示してある。この図３から明らかなように、裏面側に巻き込んだ化粧布１０の端縁部１０ａを避けた位置で中敷部材２の踵部に、所定大きさの係止部材１２が縫合または接着されて、中敷部材２と一体に設けられている。
【００２３】
この係止部材１２としては、例えば、ベルクロファスナー等の雄型を用いることができる。このように、中敷部材２の裏面側に係止部材１２を一体に設けることによって、例えば、不織布を用いた支持部材５の上面に係止部材１２を介して中敷部材２を着脱自在に配設させることができるのである。
【００２４】
このように、中敷部材２を別体として形成し、着脱自在に配設した構成にすることで、スリッパ１の製造をより一層容易にできると共に、該スリッパ１を使用することによって前記中敷部材２が汚れた時に、該中敷部材２を取り外して簡単に洗浄または別のものと交換することができるのである。
【００２５】
また、前記係止部材１２は必ずしも使用しなければならないというものではなく、例えば、前記支持部材５を厚紙素材で形成し、該支持部材５に前記中敷部材２を接着して一体的に結合させても良いし、更に、一部を接着した後に、その中敷部材２を取り付けた前記支持部材５を前記底部材４の突出部６の内側に嵌め込んで、これらを縫合または接着によって一体的に結合させても良い。
【００２６】
図１のＡ−Ａ線に沿うスリッパ１の略示的な拡大断面図を図４に示す。この図４から明らかなように、底部材４に設けた突出部６の内側に、前記支持部材５と前記甲被部材３とが嵌り込んで動いたり、ずれたりしないように位置決めされていることが理解でき、これらを重ね合わせた状態で、簡単に縫合または接着できるのであり、作業性が向上するのである。
【００２７】
本発明の第２の実施の形態に係るスリッパ２１を略示して示した側面図を図５に示す。この第２の実施の形態は、前記スリッパ２１を構成する底部材２２の下部に底補助部材２３を配設したものである。なお、この第２の実施の形態においても、前記第１の実施の形態と同様に、前記底部材２２の上面側に突出部６を形成したものであり、その突出部６より上部の構成部分については説明が重複するため、第１の実施の形態と同一のものには同一の符号を付して説明し、その詳細については省略する。
【００２８】
図６は、スリッパ２１を構成する中敷部材２と、甲被部材３を結合させた支持部材５と、底部材２２と、底補助部材２３とを分解して示した略示的な斜視図であり、前記底部材２２は一部を破断して示してある。
【００２９】
この底部材２２は、前記第１の実施の形態と同様の材料で成型した成型品であり、該底部材２２には、その上面側にリブ状の突出部６を形成させると共に、下面側にも前記底補助部材２３を嵌め込むためのリブ状の突出部２４を縁部に沿って一体に形成させたものである。
【００３０】
そして、この底部材２２の下面側に形成された突出部２４の内側に、該突出部２４の高さよりも厚みのある高さ調整用の底補助部材２３を嵌め込んで一体的に結合させるものである。
【００３１】
この底補助部材２３は、上面と面一に設けたフランジ部２５と底部２６とが一体に形成されたものであり、前記フランジ部２５は前記突出部２４の内側に嵌め込まれるものであって、その厚みは突出部２４の高さに略対応するものであり、床面には前記底部２６の下面が当接するものである。要するに、フランジ部２５を除く底部２６の厚さ分だけ前記突出部２４の高さよりも厚みを有するのであり、該底部２６の厚みを変えることによって、スリッパ２１の全体の高さ（厚み）を任意に設定できるようになるのである。
【００３２】
また、第２の実施の形態に係るスリッパ２１においては、甲被部材３を結合させた支持部材５を厚紙素材で形成し、該支持部材５に中敷部材２を接着して一体的に結合させたものを使用し、この一体に結合させた支持部材５を底部材２２の上面に載置積層して形成したものである。
【００３３】
即ち、前記スリッパ２１を製造する場合に、甲被部材３を取り付けた支持部材５を、上面側の突出部６の内側に嵌め込んで底部材２２の上面にセットし、底補助部材２３のフランジ部２５を、下面側の突出部２４の内側に嵌め込んで底部材２２の下面にセットし、これら支持部材５と、底部材２２と、底補助部材２３のフランジ部２５とを縫合して一体的に結合させた後に、中敷部材２を支持部材５に挿着し貼着することにより、スリッパ２１を製造することができるのである。
【００３４】
この場合に、底部材２２を中心にして支持部材５と底補助部材２３とを上下に重ねて縫着するものであるが、底部材２２の上下面に設けた突出部６、２４によって、支持部材５と底補助部材２３とがそれぞれ動いたりずれたりしないように位置決めされた状態に仮止めされるので、熟練を要さなくても、設定された位置関係を保って適正に且つ速やかに縫着できるのである。
【００３５】
また、前記第１の実施の形態と同様にして、前記支持部材５に少なくとも不織布を用い、前記中敷部材２の裏面側の踵部に所定大きさの係止部材を縫合または接着して一体に形成し、前記中敷部材２を前記係止部材を介して支持部材５に対し着脱自在に配設させても良い。
【００３６】
底補助部材２３は、底部材２２と同じ材料で成型しても良いが、スリッパの使用部所によっては、より以上に滑り止め効果が要求されたり、軽量化が要求される場合もある。このような場合に、底部材２２の下面側に別体の底補助部材２３を取り付ける構造であるため、底部材２２は共通して使用し、底補助部材２３に滑り止めの効果を有する材料を用いたり、或いは発泡材料を用いて形成することにより、使用のニーズに合わせることができるのである。
【００３７】
なお、特別な事情があって、スリッパ２１の底面に滑り止めを必要とする場合には、図７に示したように、底補助部材２３の底部２６の踵部に、別体の滑り止め部材２７を縫合または接着によって一体に取り付けておけば良いのである。
【００３８】
更に、フランジ部２５を有する底補助部材２３を使用することにより、前記支持部材５と、底部材２２と、フランジ部２５とを縫合した縫合用の糸は、底部２６との段差により床面と直接当接することがなく、該床面と擦れることによる糸切れも生じなくなるのである。
【００３９】
いずれにしても、第２の実施の形態は、図８に示したように、底部材２２に設けられた上面側の突出部６の内側に支持部材５と甲被部材３とが嵌め込まれ、下面側の突出部２４の内側には底補助部材２３がフランジ部２５を接触させて嵌め込まれ、底部材２２に対して、上下面に位置決めされた状態で支持部材５と底補助部材２３が維持されるのである。そして、これらを重ね合わせた状態で縫着すると、相互間において位置ずれすることなく、正確な位置関係をもって結合し、特に、フランジ部２５が縫い代となって縫着作業が容易に行えるのである。また、後で挿着される中敷部材２も、適正な位置関係をもって収まるのである。
【００４０】
この底部材２２は、成型材料のままで使用することができるが、デザイン上または品質上、外部に露出する部分、即ち、上面側と下面側とに形成された突出部６、２４を、図示していないが適宜の化粧布で周囲を包むように配し、該化粧布を突出部６、２４の内側から上面及び下面に一部が至るように折り込んで緩まないように接着して取り付けて置き、これを使用してスリッパを形成することで突出部６、２４を含む底部材２２の周縁部が外部から直接見えないようになり、種々の化粧布を選択することでスリッパのイメージを変更できると共に、イメージアップにもつながるのである。
【００４１】
【発明の効果】
以上説明したように、本発明に係る第１の発明としてスリッパは、縁部に沿って少なくとも上面側にリブ状の突出部が一体に形成された軟質樹脂の成型品で構成された底部材と、板状に形成された少なくとも不織布で構成され、且つ甲被部材を使用態様状態に取り付けて形状維持させた支持部材と、芯材の上面に緩衝材を配して化粧布で少なくとも上面と底面の一部を包み込んで一体に形成し、且つ踵部の裏面側に係止部材が取り付けられた中敷部材とからなり、前記底部材の突出部の内側に前記支持部材を嵌め込んで一体的に結合させ、前記中敷部材を支持部材の上面に係止部材を介して着脱自在に配設したことにより、支持部材と底部材とがそれぞれ動いたりしないように位置決めされた状態に仮止めされるので、これらを容易に結合させることができるようになるため、熟練を要さなくても、設定された位置関係を保って適正に且つ速やかに縫着でき、良質のスリッパの製造が容易になるという優れた効果を奏する。
【００４２】
更に、支持部材に少なくとも不織布を用い、中敷部材の裏面側に係止部材を取り付けて、該係止部材を介して前記中敷部材を前記支持部材の上面に着脱自在に配設できるようにさせたことにより、前記中敷部材の配設を容易にして、前記スリッパをより一層容易に製造できると共に、該スリッパの使用によって前記中敷部材に汚れが生じたときに、該中敷部材を取り外して簡単に洗浄または別のものと交換ができるという優れた効果を奏する。
【００４３】
また、本発明に係る第２の発明としてスリッパの製造方法は、少なくとも底部材と、支持部材と、甲被部材と、中敷部材とからなるスリッパの製造方法であって、前記底部材は、成型手段により軟質樹脂を用いて、縁部に沿って少なくとも上面側にリブ状の突出部が一体に形成され、前記支持部材は、板状に形成された少なくとも不織布を用い、整形手段により前記甲被部材を使用態様状態に形状維持させるべく接着して取り付け、前記中敷部材は、芯材の上面に緩衝材を配して化粧布で少なくとも上面と底面の一部を包み込んで且つ踵部の裏面側に係止部材を縫合または接着手段により一体に形成し、前記底部材の突出部の内側に前記支持部材を嵌め込んで縫合または接着手段により一体的に結合させ、前記中敷部材を支持部材の上面に係止部材を介して着脱自在になるようにしたことにより、支持部材と底部材とがそれぞれ動いたりしないように位置決めされた状態に仮止めされるので、これらを容易に結合させることができるようになるため、熟練を要さなくても、設定された位置関係を保って適正に且つ速やかに縫着でき、スリッパの製造が容易になるという優れた効果を奏する。
【００４４】
更に、前記中敷部材を前記支持部材の上面に着脱自在に配設できるようにさせたことにより、前記中敷部材の配設を容易にして、前記スリッパをより一層容易に製造できるようになるという優れた効果を奏する。
【図面の簡単な説明】
【図１】本発明の第１の実施の形態に係るスリッパを略示的に示した斜視図である。
【図２】同スリッパを中敷部材と、甲被部材を結合させた支持部材と、底部材とに分解し、前記中敷部材の一部を破断して略示的に示した斜視図である。
【図３】本発明の第１の実施の形態に係るスリッパの中敷部材の裏面側を略示的に示した平面図である。
【図４】図１のＡ−Ａ線に沿う拡大して略示的に示した断面図である。
【図５】本発明の第２の実施の形態に係るスリッパを略示的に示した側面図である。
【図６】同スリッパを中敷部材と、甲被部材を結合させた支持部材と、底部材と、底補助部材とに分解し、前記底部材の一部を破断して略示的に示した斜視図である。
【図７】本発明の第２の実施の形態に係るスリッパの裏面である。
【図８】図５のＢ−Ｂ線に沿う拡大して略示的に示した断面図である。
【符号の説明】
１、２１　スリッパ
２　中敷部材
３　甲被部材
４、２２　底部材
５　支持部材
６　上面側の突出部
７、１１　縫合線
８　芯材
９　緩衝材
１０　化粧布
１０ａ　端縁部
１２　係止部材
２３　補助部材
２４　下面側の突出部
２５　フランジ部
２６　底部
２７　滑り止め部材
【図１】
2004016339.tif 000003
【図２】
2004016339.tif 000004
【図３】
2004016339.tif 000005
【図４】
2004016339.tif 000006
【図５】
2004016339.tif 000007
【図６】
2004016339.tif 000008
【図７】
2004016339.tif 000009
【図８】
2004016339.tif 000010